(57)【要約】【課題】電池内蔵の複数のスピーカ装置において、いずれかのスピーカ装置の電池寿命が尽きたことによる音質バランスの低下及び無駄な電池消費の防止を図ること。【解決手段】電池２１６を備え、当該電池２１６からの電力供給により駆動されるスピーカ装置２１において、予め設定された非可聴周波数帯域音声データを送信する非可聴周波数帯域送信部２１４と、複数の非可聴周波数帯域音声データを受信する非可聴周波数帯域受信部２１３と、非可聴周波数帯域受信部２１３により受信している複数の非可聴周波数帯域音声データのうち、いずれかの非可聴周波数帯域音声データが受信されなくなった場合、電池２１６からの電力供給を停止させ当該スピーカ装置内の動作を停止させる制御部２１０と、を備えるスピーカ装置２１。【選択図】図３
2009038434.tif 000002
【特許請求の範囲】
【請求項１】
電池を備え、当該電池からの電力供給により駆動される音声出力装置において、
予め設定された非可聴周波数帯域の音声データを送信する送信手段と、
複数の非可聴周波数帯域の音声データを受信する受信手段と、
前記受信手段により受信している複数の非可聴周波数帯域の音声データのうち、いずれかの非可聴周波数帯域の音声データが受信されなくなった場合、前記電池からの電力供給を停止させ当該音声出力装置内の動作を停止させる制御手段と、
を備える音声出力装置。
【請求項２】
前記受信手段により受信され得る複数の非可聴周波数帯域の音声データを予め記憶している記憶手段を備え、
前記送信手段は、
前記記憶手段に記憶されている複数の非可聴周波数帯域の音声データのうち、予め設定された非可聴周波数帯域の音声データを送信し、
前記制御手段は、
前記記憶手段に予め記憶されている複数の非可聴周波数帯域の音声データのうち、前記送信手段から送信した非可聴周波数帯域の音声データを除く前記記憶手段に記憶されている複数の非可聴周波数帯域の音声データが、前記受信手段により受信されていない場合、前記電池からの電力供給を停止させ当該音声出力装置内の動作を停止させる、
請求項１に記載の音声出力装置。
【請求項３】
電池を備え、当該電池からの電力供給により駆動される音声出力装置を複数備えた音声データ再生システムにおいて、
前記音声出力装置は、
予め設定された非可聴周波数帯域の音声データを送信する送信手段と、
複数の非可聴周波数帯域の音声データを受信する受信手段と、
前記受信手段により受信している複数の非可聴周波数帯域の音声データのいずれかの非可聴周波数帯域の音声データが受信されなくなった場合、当該音声出力装置内の動作を停止させる制御手段と、
を備える、
音声データ再生システム。
【請求項４】
前記音声出力装置は、
前記受信手段により受信され得る複数の非可聴周波数帯域の音声データを記憶する記憶手段を備え、
前記送信手段は、
前記記憶手段に記憶されている複数の非可聴周波数帯域の音声データのうち、予め設定された非可聴周波数帯域の音声データを送信し、
前記制御手段は、
前記送信手段から送信した非可聴周波数帯域の音声データを除く前記記憶手段に記憶されている複数の非可聴周波数帯域の音声データが、前記受信手段により受信されていない場合、前記電池からの電力供給を停止させ当該音声出力装置内の動作を停止させる、
請求項３に記載の音声データ再生システム。
【請求項５】
電池からの電力供給により駆動される音声出力装置の電池管理方法において、
予め設定された非可聴周波数帯域の音声データを送信する送信工程と、
複数の非可聴周波数帯域の音声データを受信する受信工程と、
前記受信工程により受信している複数の非可聴周波数帯域の音声データのいずれかの非可聴周波数帯域の音声データが受信されなくなった場合、前記電池からの電力供給を停止させる制御工程と、
を含む電池管理方法。
【請求項６】
前記送信工程は、
前記受信工程により受信され得る複数の非可聴周波数帯域の音声データを記憶する記憶手段に記憶されている複数の非可聴周波数帯域の音声データのうち、予め設定された非可聴周波数帯域の音声データを送信し、
前記制御工程は、
前記送信工程により送信された非可聴周波数帯域の音声データを除く前記記憶手段に記憶されている複数の非可聴周波数帯域の音声データが、前記受信工程により受信されていない場合、前記電池からの電力供給を停止させる、
請求項５に記載の電池管理方法。
【発明の詳細な説明】
【技術分野】
【０００１】
本発明は、音声出力装置、音声データ再生システム及び電池管理方法に関する。
【背景技術】
【０００２】
近年、無線通信機能の進歩や、ポータビリティの要求に伴い、無線インターフェースとデジタル音声情報を再生する機能を持つ電池内蔵型のスピーカ装置（音声出力装置）と、当該音声出力装置にデジタル音声情報等を無線送信するプレーヤ（再生装置）とからなる音声データ再生システムが知られている。
【０００３】
例えば、無線チャンネルを介して音声データを含むコンテンツを送信するコンテンツ再生装置と、当該コンテンツ再生装置から音声データを受信する無線インターフェース手段、音声データを再生する再生手段、無線インターフェース手段及び再生手段に電源を供給する電池、コンテンツ再生手段から電源の供給を受け電池を充電する電源供給手段、を有する移動型音声出力装置を複数備えたステムが開示されている（特許文献１参照）。
【特許文献１】特開２００５−７９６１４号公報
【発明の開示】
【発明が解決しようとする課題】
【０００４】
しかしながら、特許文献１のようなシステムは、移動型音声出力装置（スピーカ装置）とコンテンツ再生装置（プレーヤ）とが電源供給のために有線で接続される必要があるため、ポータビリティの要求を満たすことは難しい。
【０００５】
そこで、再生装置による各音声出力装置に内蔵された電池充電機能を除き、各音声出力装置を電池単独で駆動させると、各電池の製造時の性能誤差や駆動状況により、電池残量や電池寿命にばらつきが発生する。そのため、電池寿命が尽きた音声出力装置が発生すると、音声が発せられていない音声出力装置が存在することとなり、ユーザは、システム全体としての音質バランスが崩れた状態で聴くこととなる。更に、この音質バランスが崩れた状態で電池寿命が尽きていない音声出力装置からは引き続き音声が発せられるため、無駄に電池が消費されている。
【０００６】
本発明の課題は、上記問題に鑑みて、電池内蔵の複数の音声出力装置において、いずれかの音声出力装置の電池寿命が尽きたことによる音質バランスの低下及び無駄な電池消費の防止を図ることである。
【課題を解決するための手段】
【０００７】
請求項１に記載の発明は、電池を備え、当該電池からの電力供給により駆動される音声出力装置において、予め設定された非可聴周波数帯域の音声データを送信する送信手段と、複数の非可聴周波数帯域の音声データを受信する受信手段と、前記受信手段により受信している複数の非可聴周波数帯域の音声データのうち、いずれかの非可聴周波数帯域の音声データが受信されなくなった場合、前記電池からの電力供給を停止させ当該音声出力装置内の動作を停止させる制御手段と、を備える音声出力装置であること、を特徴としている。
【０００８】
請求項２に記載の発明は、請求項１に記載の音声出力装置において、前記受信手段により受信され得る複数の非可聴周波数帯域の音声データを予め記憶している記憶手段を備え、前記送信手段は、前記記憶手段に記憶されている複数の非可聴周波数帯域の音声データのうち、予め設定された非可聴周波数帯域の音声データを送信し、前記制御手段は、前記記憶手段に予め記憶されている複数の非可聴周波数帯域の音声データのうち、前記送信手段から送信した非可聴周波数帯域の音声データを除く前記記憶手段に記憶されている複数の非可聴周波数帯域の音声データが、前記受信手段により受信されていない場合、前記電池からの電力供給を停止させ当該音声出力装置内の動作を停止させる、ことを特徴としている。
【０００９】
請求項３に記載の発明は、電池を備え、当該電池からの電力供給により駆動される音声出力装置を複数備えた音声データ再生システムにおいて、前記音声出力装置は、予め設定された非可聴周波数帯域の音声データを送信する送信手段と、複数の非可聴周波数帯域の音声データを受信する受信手段と、前記受信手段により受信している複数の非可聴周波数帯域の音声データのいずれかの非可聴周波数帯域の音声データが受信されなくなった場合、当該音声出力装置内の動作を停止させる制御手段と、を備える音声データ再生システムであること、を特徴としている。
【００１０】
請求項４に記載の発明は、請求項３に記載の音声データ再生システムにおいて、前記音声出力装置は、前記受信手段により受信され得る複数の非可聴周波数帯域の音声データを記憶する記憶手段を備え、前記送信手段は、前記記憶手段に記憶されている複数の非可聴周波数帯域の音声データのうち、予め設定された非可聴周波数帯域の音声データを送信し、前記制御手段は、前記送信手段から送信した非可聴周波数帯域の音声データを除く前記記憶手段に記憶されている複数の非可聴周波数帯域の音声データが、前記受信手段により受信されていない場合、前記電池からの電力供給を停止させ当該音声出力装置内の動作を停止させる、ことを特徴としている。
【００１１】
請求項５に記載の発明は、電池からの電力供給により駆動される音声出力装置の電池管理方法において、予め設定された非可聴周波数帯域の音声データを送信する送信工程と、複数の非可聴周波数帯域の音声データを受信する受信工程と、前記受信工程により受信している複数の非可聴周波数帯域の音声データのいずれかの非可聴周波数帯域の音声データが受信されなくなった場合、前記電池からの電力供給を停止させる制御工程と、を含む電池管理方法であること、を特徴としている。
【００１２】
請求項６に記載の発明は、請求項５に記載の電池管理方法において、前記送信工程は、前記受信工程により受信され得る複数の非可聴周波数帯域の音声データを記憶する記憶手段に記憶されている複数の非可聴周波数帯域の音声データのうち、予め設定された非可聴周波数帯域の音声データを送信し、前記制御工程は、前記送信工程により送信された非可聴周波数帯域の音声データを除く前記記憶手段に記憶されている複数の非可聴周波数帯域の音声データが、前記受信工程により受信されていない場合、前記電池からの電力供給を停止させる、ことを特徴としている。
【発明の効果】
【００１３】
本発明によれば、電池内蔵の複数の音声出力装置において、いずれかの音声出力装置の電池寿命が尽きたことによる音質バランスの低下及び無駄な電池消費の防止を図ることができる。
【発明を実施するための最良の形態】
【００１４】
以下、図を参照して本発明の実施の形態を詳細に説明する。
まず、構成を説明する。
図１に、本実施の形態における音声データ再生システムＡにおける各装置の配置図例を示す。
【００１５】
図１に示すように、本実施の形態における音声データ再生システムＡは、音声データを無線送信するプレーヤ１０と、電池を備え、当該電池からの電力供給により駆動され、プレーヤ１０から送信される音声データを受信し音響信号に変換して出力する音声出力装置としてのスピーカ装置２１〜２６と、を備えて構成される５．１ｃｈサラウンド方式のシステムである。
【００１６】
図１に示す複数のスピーカ装置２１〜２６は、プレーヤ１０の前方の左右に設けられた左チャンネル用フロントスピーカ装置２１、右チャンネル用フロントスピーカ装置２２と、プレーヤ１０の前方正面に設けられたセンタースピーカ装置２３と、プレーヤ１０の後方の左右に設けられた左チャンネル用リアスピーカ装置２４、右チャンネル用リアスピーカ装置２５と、低音専用のサブウーファースピーカ装置２６とする。
【００１７】
本実施の形態におけるプレーヤ１０は、音声データを各スピーカ装置２１〜２６に送信する。各スピーカ装置２１〜２６は、プレーヤ１０から受信した音声データを出力し、また、非可聴周波数帯域の音声データ（以下、非可聴周波数帯域音声データ）を他のスピーカ装置に送信すると共に、他のスピーカ装置から送信される非可聴周波数帯域音声データを受信する。図１に示す片矢印はプレーヤ１０から送信される音声データの通信を示し、白抜き矢印は非可聴周波数帯域音声データの通信を示す。
【００１８】
図２に、実施の形態におけるプレーヤ１０の制御ブロック図を示す。
図２に示すように、プレーヤ１０は、制御部１１０、メモリ１２０、操作部１３０、表示部１４０、ＣＤ（Compact Disc）／ＤＶＤ（Digital Versatile Disk）ドライブ１５０、ＨＤＤ（Hard Disk Drive）１６０、音声データ送信部１７０、を備えて構成されており、各部は電気的に接続されている。
【００１９】
制御部１１０は、ＣＰＵ（Central Processing Unit）等から構成されており、メモリ１２０に記憶されている各種制御プログラムをメモリ１２０内の展開領域に展開して、これら制御プログラムとの協働により演算を行い、プレーヤ１０内の各部を統括的に制御する。特に、操作部１３０からの指示に従って、ＣＤ／ＤＶＤドライブ１５０に格納されたＣＤ又はＤＶＤ、又はＨＤＤ１６０に記憶されている音声データを読み出し、当該音声データを音声データ送信部１７０を介して各スピーカ装置に送信する。
【００２０】
メモリ１２０は、ＲＯＭ（Read Only Memory）、ＲＡＭ（Random Access Memory）や不揮発性メモリ等から構成されており、各種制御プログラム、その他必要なデータが予め記憶されていると共に、各プログラムが実行されることにより生成される各種データを一時的に記憶する。
【００２１】
操作部１３０は、電源スイッチ、数字や文字等の入力キーや、各種メニューを選択する選択キー等の各種キー等により構成されており、押下されたキーに対応する押下信号を、制御部１１０に出力する。
【００２２】
表示部１４０は、ＬＣＤ（Liquid Crystal Display）やＬＥＤ（Light Emitting Diode）等によって構成され、制御部１１０から送信される表示データに基づいて各種情報を表示する。
【００２３】
ＣＤ／ＤＶＤドライブ１５０は、操作部１３０からの指示に従って、ＣＤ又はＤＶＤに記憶されている音声データを読み出す。ＨＤＤ１６０は、操作部１３０からの指示に従って、予め記憶している音声データを読み出す。ＣＤ／ＤＶＤドライブ１５０又はＨＤＤ１６０から読み出された音声データは、制御部１１０によって音声データ送信部１７０から各スピーカ装置に送信される。
【００２４】
音声データ送信部１７０は、各スピーカ装置と無線通信を行うインターフェースを有し、各スピーカ装置に対して音声データを無線送信する。なお、通信方式は、無線通信、単方向赤外線通信等であることが好ましい。
【００２５】
図３に、本実施の形態におけるスピーカ装置の制御ブロック図の一例として、左チャンネル用フロントスピーカ装置２１の制御ブロック図を示す。
図３に示すように、左チャンネル用フロントスピーカ装置２１は、制御部２１０、メモリ２１１、検出部２１２、非可聴周波数帯域受信部２１３、非可聴周波数帯域送信部２１４、音声データ受信部２１５ａ、Ｄ／Ａ変換部２１５ｂ、増幅部２１５ｃ、スピーカユニット２１５ｄを備えて構成され、各部は電気的に接続されており、電池２１６からの電力の供給を受ける。
【００２６】
制御部２１０は、ＣＰＵ（Central Processing Unit）等から構成されており、メモリ２１１に記憶されている各種制御プログラムをメモリ２１１内の展開領域に展開して、これら制御プログラムとの協働により演算を行い、左チャンネル用フロントスピーカ装置２１内の各部を統括的に制御する。
【００２７】
また、制御部２１０は、非可聴周波数帯域受信部２１３により受信している複数の非可聴周波数帯域音声データのうち、いずれかの非可聴周波数帯域音声データが受信されなくなった場合、電池２１６からの電力供給を停止させ当該左チャンネル用フロントスピーカ装置２１内の動作を停止させる電池管理処理を実行するメモリ２１１に記憶されている各プログラムを実行し、制御手段としての機能を実現する。
【００２８】
本実施の形態における電池管理処理は、メモリ２１１に予め記憶されている複数の非可聴周波数帯域音声データがのうち、非可聴周波数帯域送信部２１４から送信した非可聴周波数帯域音声データを除くメモリ２１１に予め記憶されている複数の非可聴周波数帯域音声データが、非可聴周波数帯域受信部２１３により受信されていない場合、電池２１６からの電力供給を停止させ当該左チャンネル用フロントスピーカ装置２１内の動作を停止させる処理である。
【００２９】
メモリ２１１は、ＲＯＭ（Read Only Memory）、ＲＡＭ（Random Access Memory）や不揮発性メモリ等から構成されており、各種制御プログラムや、電池管理処理を実行するプログラム、その他必要なデータが予め記憶されていると共に、各プログラムが実行されることにより生成される各種データや非可聴周波数帯域受信部２１３及び音声データ受信部２１５ａから受信した音声データを一時的に記憶する。
【００３０】
更に、メモリ２１１は、予め設定されている非可聴周波数帯域送信部２１４から送信される非可聴周波数帯域音声データを記憶していると共に、非可聴周波数帯域受信部２１３により受信され得る複数の非可聴周波数帯域音声データ、本実施の形態においては、音声データ再生システムＡが備えるスピーカ装置夫々が発する非可聴周波数帯域音声データを、当該各非可聴周波数帯域音声データを識別する周波数ＩＤと対応付けて予め記憶しており、記憶手段としての機能を実現している。
【００３１】
本実施の形態は６台のスピーカ装置を備える音声データ再生システムＡであるため、メモリ２１１は、６種類の非可聴周波数帯域音声データを周波数ＩＤと対応付けて記憶している。例えば、周波数ＩＤがＡに対応付けられている非可聴周波数帯域音声データは２０ｋＨｚ帯域の音声データ、周波数ＩＤがＢに対応付けられている非可聴周波数帯域音声データは３０ｋＨｚ帯域の音声データ、周波数ＩＤがＣに対応付けられている非可聴周波数帯域音声データは４０ｋＨｚ帯域の音声データ、周波数ＩＤがＤに対応付けられている非可聴周波数帯域音声データは５０ｋＨｚ帯域の音声データ、周波数ＩＤがＥに対応付けられている非可聴周波数帯域音声データは６０ｋＨｚ帯域の音声データ、周波数ＩＤがＦに対応付けられている非可聴周波数帯域音声データは７０ｋＨｚ帯域の音声データ、を予め記憶している。
【００３２】
検出部２１２は、電池２１６の端子電圧値を検出し、検出した端子電圧値をＡ／Ｄ変換した後、電池電圧値として制御部２１０に出力する。
【００３３】
非可聴周波数帯域受信部２１３は、複数の非可聴周波数帯域音声データを受信する受信手段としての機能を実現する。例えば、非可聴周波数帯域を受信可能な超音波センサ等からなるマイクを有し、可聴帯域をフィルタリングして非可聴周波数帯域を得る装置であってもよい。
【００３４】
非可聴周波数帯域音声データとは、人間の耳で聴き取れる周波数はおおよそ３０Ｈｚ〜２０ｋＨｚと言われており、この可聴域を超える超高周波の周波数帯域、即ち、超音波と言われる帯域の音声データである。なお、非可聴周波数帯域は、人間の年齢や性別、音声データを聴く位置によって若干異なるものであり、本音声データ再生システムＡを利用するユーザに応じて設定することが好ましい。
【００３５】
非可聴周波数帯域送信部２１４は、非可聴周波数帯域発生部２１４ａ、増幅部２１４ｂ、スピーカユニット２１４ｃ、を備えて構成され、予め設定された非可聴周波数帯域音声データを送信する送信手段としての機能を実現する。
【００３６】
非可聴周波数帯域発生部２１４ａは、設定されている非可聴周波数帯域音声データを発生させ、増幅部２１４ｂに出力する。増幅部２１４ｂは、非可聴周波数帯域発生部２１４ａにより入力された非可聴周波数帯域音声データを、制御部２１０からの指示に応じて増幅させ、スピーカユニット２１４ｃに出力する。スピーカユニット２１４ｃは、増幅部２１４ｂから入力された非可聴周波数帯域音声データを音響信号として出力する。
【００３７】
音声データ受信部２１５ａは、プレーヤ１０と無線通信を行うインターフェースを有し、プレーヤ１０から送信される音声データを受信し、受信した音声データをＤ／Ａ変換部２１５ｂに出力する。なお、通信方式は、無線通信、単方向赤外線通信等であることが好ましい。
【００３８】
Ｄ／Ａ変換部２１５ｂは、入力されたデジタル信号の音声データをアナログ信号に変換し、増幅部２１５ｃに出力する。増幅部２１５ｃは、Ｄ／Ａ変換部２１５ｂから入力されたアナログ信号の音声データを制御部２１０からの指示に応じて増幅させ、スピーカユニット２１５ｄに出力する。スピーカユニット２１５ｄは、増幅部２１５ｃから入力された音声データを出力する。
【００３９】
電池２１６は、繰り返し充電して使用することができる二次電池が好ましく、例えば、、ニッケルカドミウム電池、ニッケル水素電池、リチウムイオン電池等を挙げることができるが、小型で軽量、かつ体積エネルギー密度、重量エネルギー密度が高いリチウムイオン電池を用いることが好ましい。
【００４０】
なお、右チャンネル用フロントスピーカ装置２２、センタースピーカ装置２３、左チャンネル用リアスピーカ装置２４、右チャンネル用リアスピーカ装置２５、サブウーファースピーカ装置２６の制御ブロック図は、スピーカユニット２１５ｄの構成が異なる以外は左チャンネル用フロントスピーカ装置２１と同様であるため、図示及び説明は省略する。
【００４１】
次に、本実施の形態の動作を説明する。
図４に、本実施の形態１における各スピーカ装置が個別に実行する電池管理処理のフローチャートを示す。
図４に示す電池管理処理は、左チャンネル用フロントスピーカ装置２１において実行される電池管理処理を示しており、制御部２１０とメモリ２１１内に記憶されているプログラムや当該スピーカ装置の各部との協働によって実行されるものとする。
【００４２】
まず、メモリ２１１に記憶されている複数の非可聴周波数帯域音声データが、対応付けられている周波数ＩＤと共に読み出される（ステップＳ１）。本実施の形態においては、周波数ＩＤがＡ〜Ｆの６種類の非可聴周波数帯域音声データが読み出される。
【００４３】
そして、ステップＳ１において読み出された複数の周波数ＩＤ；Ａ〜Ｆのうち、非可聴周波数帯域送信部２１４から送信される非可聴周波数帯域音声データに該当する周波数ＩＤが自身の周波数ＩＤ；Ｎとして設定される（ステップＳ２）。
【００４４】
自身の周波数ＩＤ；Ｎは周波数ＩＤ；Ａであるか否かが判別され（ステップＳ３）、自身の周波数ＩＤ；Ｎが周波数ＩＤ；Ａでない場合（ステップＳ３；Ｎｏ）、非可聴周波数帯域受信部２１３により受信されている複数の非可聴周波数帯域音声データのうち、周波数ＩＤ；Ａに対応する非可聴周波数帯域音声データが検出されたか否かが判別される（ステップＳ４）。
【００４５】
周波数ＩＤ；Ａに対応する非可聴周波数帯域音声データが検出されない場合（ステップＳ４；Ｎｏ）、電池２１６からの電力供給が停止され、当該スピーカ装置内の動作が停止され、本処理は終了される（ステップＳ５）。
【００４６】
自身の周波数ＩＤ；Ｎが周波数ＩＤ；Ａである場合（ステップＳ３；Ｙｅｓ）、又は、周波数ＩＤ；Ａに対応する非可聴周波数帯域音声データが検出された場合（ステップＳ４；Ｙｅｓ）、自身の周波数ＩＤ；Ｎは周波数ＩＤ；Ｂであるか否かが判別される（ステップＳ６）。
【００４７】
自身の周波数ＩＤ；Ｎが周波数ＩＤ；Ｂでない場合（ステップＳ６；Ｎｏ）、非可聴周波数帯域受信部２１３により受信されている複数の非可聴周波数帯域音声データのうち、周波数ＩＤ；Ｂに対応する非可聴周波数帯域音声データが検出されたか否かが判別される（ステップＳ７）。
【００４８】
周波数ＩＤ；Ｂに対応する非可聴周波数帯域音声データが検出されない場合（ステップＳ７；Ｎｏ）、電池２１６からの電力供給が停止され、当該スピーカ装置内の動作が停止され、本処理は終了される（ステップＳ５）。
【００４９】
自身の周波数ＩＤ；Ｎが周波数ＩＤ；Ｂである場合（ステップＳ６；Ｙｅｓ）、又は、周波数ＩＤ；Ｂに対応する非可聴周波数帯域音声データが検出された場合（ステップＳ７；Ｙｅｓ）、自身の周波数ＩＤ；Ｎは周波数ＩＤ；Ｃであるか否かが判別される（ステップＳ８）。
【００５０】
自身の周波数ＩＤ；Ｎが周波数ＩＤ；Ｃでない場合（ステップＳ８；Ｎｏ）、非可聴周波数帯域受信部２１３により受信されている複数の非可聴周波数帯域音声データのうち、周波数ＩＤ；Ｃに対応する非可聴周波数帯域音声データが検出されたか否かが判別される（ステップＳ９）。
【００５１】
周波数ＩＤ；Ｃに対応する非可聴周波数帯域音声データが検出されない場合（ステップＳ９；Ｎｏ）、電池２１６からの電力供給が停止され、当該スピーカ装置内の動作が停止され、本処理は終了される（ステップＳ５）。
【００５２】
自身の周波数ＩＤ；Ｎが周波数ＩＤ；Ｃである場合（ステップＳ８；Ｙｅｓ）、又は、周波数ＩＤ；Ｃに対応する非可聴周波数帯域音声データが検出された場合（ステップＳ９；Ｙｅｓ）、自身の周波数ＩＤ；Ｎは周波数ＩＤ；Ｄであるか否かが判別される（ステップＳ１０）。
【００５３】
自身の周波数ＩＤ；Ｎが周波数ＩＤ；Ｄでない場合（ステップＳ１０；Ｎｏ）、非可聴周波数帯域受信部２１３により受信されている複数の非可聴周波数帯域音声データのうち、周波数ＩＤ；Ｄに対応する非可聴周波数帯域音声データが検出されたか否かが判別される（ステップＳ１１）。
【００５４】
周波数ＩＤ；Ｄに対応する非可聴周波数帯域音声データが検出されない場合（ステップＳ１１；Ｎｏ）、電池２１６からの電力供給が停止され、当該スピーカ装置内の動作が停止され、本処理は終了される（ステップＳ５）。
【００５５】
自身の周波数ＩＤ；Ｎが周波数ＩＤ；Ｄである場合（ステップＳ１０；Ｙｅｓ）、又は、周波数ＩＤ；Ｄに対応する非可聴周波数帯域音声データが検出された場合（ステップＳ１１；Ｙｅｓ）、自身の周波数ＩＤ；Ｎは周波数ＩＤ；Ｅであるか否かが判別される（ステップＳ１２）。
【００５６】
自身の周波数ＩＤ；Ｎが周波数ＩＤ；Ｅでない場合（ステップＳ１２；Ｎｏ）、非可聴周波数帯域受信部２１３により受信されている複数の非可聴周波数帯域音声データのうち、周波数ＩＤ；Ｅに対応する非可聴周波数帯域音声データが検出されたか否かが判別される（ステップＳ１３）。
【００５７】
周波数ＩＤ；Ｅに対応する非可聴周波数帯域音声データが検出されない場合（ステップＳ１３；Ｎｏ）、電池２１６からの電力供給が停止され、当該スピーカ装置内の動作が停止され、本処理は終了される（ステップＳ５）。
【００５８】
自身の周波数ＩＤ；Ｎが周波数ＩＤ；Ｅである場合（ステップＳ１２；Ｙｅｓ）、又は、周波数ＩＤ；Ｅに対応する非可聴周波数帯域音声データが検出された場合（ステップＳ１３；Ｙｅｓ）、自身の周波数ＩＤ；Ｎは周波数ＩＤ；Ｆであるか否かが判別される（ステップＳ１４）。
【００５９】
自身の周波数ＩＤ；Ｎが周波数ＩＤ；Ｆでない場合（ステップＳ１４；Ｎｏ）、非可聴周波数帯域受信部２１３により受信されている複数の非可聴周波数帯域音声データのうち、周波数ＩＤ；Ｆに対応する非可聴周波数帯域音声データが検出されたか否かが判別される（ステップＳ１５）。
【００６０】
周波数ＩＤ；Ｆに対応する非可聴周波数帯域音声データが検出されない場合（ステップＳ１５；Ｎｏ）、電池２１６からの電力供給が停止され、当該スピーカ装置内の動作が停止され、本処理は終了される（ステップＳ５）。
【００６１】
自身の周波数ＩＤ；Ｎが周波数ＩＤ；Ｆである場合（ステップＳ１４；Ｙｅｓ）、又は、周波数ＩＤ；Ｆに対応する非可聴周波数帯域音声データが検出された場合（ステップＳ１５；Ｙｅｓ）、ステップＳ３に戻る。
【００６２】
以上のように、本実施形態によれば、音声データ再生システムにおいて、各スピーカ装置が、電池の製造時の性能誤差や駆動状況により、電池残量や電池寿命にばらつきが発生したとしても、いずれかのスピーカ装置が、電池寿命が尽きて音声データが発せられなくなった場合、他のスピーカ装置も音声データを発することがなくなる。そのため、ユーザは、システム全体としての音質バランスが崩れた状態で聴くことがなくなる。更に、電池寿命が尽きていないスピーカ装置からは、音質バランスが崩れた状態では音声データを発しないため、無駄に電池が消費されることがなくなる。
【００６３】
従って、電池を備えた複数のスピーカ装置において、いずれかのスピーカ装置の電池寿命が尽きたことによる音質バランスの低下及び無駄な電池消費の防止を図ることができる。
【００６４】
なお、本発明は、上記実施形態に限らず、適宜変更可能であるのは勿論である。
【図面の簡単な説明】
【００６５】
【図１】音声データ再生システムＡにおける各装置の配置図例である。
【図２】プレーヤ１０の制御ブロック図である。
【図３】左チャンネル用フロントスピーカ装置２１の制御ブロック図である。
【図４】電池管理処理のフローチャートである。
【符号の説明】
【００６６】
１０  プレーヤ
２１  左チャンネル用フロントスピーカ装置
２２  右チャンネル用フロントスピーカ装置
２３  センタースピーカ装置
２４  左チャンネル用リアスピーカ装置
２５  右チャンネル用リアスピーカ装置
２６  サブウーファースピーカ装置
１１０  制御部
１２０  メモリ
１３０  操作部
１４０  表示部
１５０  ＣＤ／ＤＶＤドライブ
１６０  ＨＤＤ
１７０  音声データ送信部
２１０  制御部
２１１  メモリ
２１２  検出部
２１３  非可聴周波数帯域受信部
２１４  非可聴周波数帯域送信部
２１４ａ  非可聴周波数帯域発生部
２１４ｂ  増幅部
２１４ｃ  スピーカユニット
２１５ａ  音声データ受信部
２１５ｂ  Ｄ／Ａ変換部
２１５ｃ  増幅部
２１５ｄ  スピーカユニット
２１６  電池
【図１】
2009038434.tif 000003
【図２】
2009038434.tif 000004
【図３】
2009038434.tif 000005
【図４】
2009038434.tif 000006